(57)【要約】【課題】画像を視認するユーザの年齢に応じた見易い状態で、且つ当該ユーザの眼を保護しつつ、画像を表示させることが可能な画像処理装置を提供する。【解決手段】ディスプレイ４に表示すべき画像に相当する画像情報Ｓinを取得すると共に、表示された画像を視るユーザの年齢等に対応した年齢データＳageを取得し、画像におけるブルーライトの輝度を年齢データＳageに基づいて低減しつつ、年齢データＳageに基づいて画像情報Ｓinに相当する画像をディスプレイ４上に表示する。【選択図】図１
2016040581.tif 000002
【特許請求の範囲】
【請求項１】
表示手段に表示すべき画像に相当する画像情報を取得する画像情報取得手段と、
前記表示された画像を視る者の年齢に対応した年齢対応情報を取得する年齢対応情報取得手段と、
前記画像における青色成分に相当する輝度を前記取得した年齢対応情報に基づいて低減しつつ、当該年齢対応情報に基づいて当該画像情報から表示用画像情報を生成し、前記表示手段に出力して表示させる生成手段と、
を備えることを特徴とする画像処理装置。
【請求項２】
請求項１に記載の画像処理装置において、
前記生成手段は、
（ｉ）前記取得した年齢対応情報に基づいて前記輝度を低減する低減処理、
（ii）前記取得した年齢対応情報に基づいて前記画像におけるコントラストを補正するコントラスト補正処理、及び、
（iii）前記取得した年齢対応情報に基づいて前記画像における色を補正する色補正処理、
のうち、前記低減処理を含むいずれかの処理を、前記取得した画像情報に対して実行して前記表示用画像情報を生成することを特徴とする画像処理装置。
【請求項３】
請求項２に記載の画像処理装置において、
前記取得した年齢対応情報に対応する前記年齢が、子供又は成人を示すものとして予め設定された年齢閾値以下の年齢である場合に、前記生成手段は、前記輝度の低減が前記年齢閾値に対応して予め設定された低減閾値以上である前記低減処理、及び、前記コントラストの補正が前記年齢閾値に対応して予め設定された補正閾値以下である前記コントラスト補正処理、を実行することを特徴とする画像処理装置。
【請求項４】
請求項２に記載の画像処理装置において、
前記取得した年齢対応情報に対応する前記年齢が、成人を示すものとして予め設定された年齢幅閾値内の年齢である場合に、前記生成手段は、前記輝度の低減が前記年齢幅閾値に対応して予め設定された低減閾値以上である前記低減処理、前記コントラストの補正が前記年齢幅閾値に対応して予め設定された補正閾値以上である前記コントラスト補正処理、及び、前記年齢幅閾値に対応して前記画像全体の輝度を下げる輝度補正処理、を実行することを特徴とする画像処理装置。
【請求項５】
請求項２に記載の画像処理装置において、
前記者が、高齢者を示すものとして予め設定された年齢閾値以上の年齢の者であり、且つ当該者が予め設定された眼の病気に罹っていることが、前記取得した年齢対応情報により示されている場合に、前記生成手段は、前記輝度の低減が予め設定された低減閾値以下である前記低減処理、前記コントラストの補正が予め設定された補正閾値以上である前記コントラスト補正処理、及び、前記取得した年齢対応情報に基づいて前記色を補正する前記色補正処理、を実行することを特徴とする画像処理装置。
【請求項６】
請求項１から請求項５のいずれか一項に記載の画像処理装置において、
時刻、日、月又は季節のいずれかを示す時情報を取得する時刻取得部等の時情報取得手段を更に備え、
前記生成手段は、前記青色成分に相当する前記輝度を前記取得した年齢対応情報及び前記取得した時情報に基づいて低減しつつ、当該年齢対応情報及び当該時情報に基づいて前記画像情報から前記表示用画像情報を生成することを特徴とする画像処理装置。
【請求項７】
請求項６に記載の画像処理装置において、
前記取得した時情報に基づいて前記生成手段は、前記画像を視認する者の活動時間における前記青色成分に相当する前記輝度が、当該活動時間以外の時間における当該輝度に対して相対的に高くなるようにして前記表示用画像情報を生成することを特徴とする画像処理装置。
【請求項８】
請求項１から請求項７のいずれか一項に記載の画像処理装置において、
前記年齢対応情報取得手段により新たな前記年齢対応情報が取得されたとき、前記生成手段は当該新たな年齢対応情報に基づいて、前記低減処理を含むいずれかの処理を、前記取得した画像情報に対して実行して前記表示用画像情報を生成することを特徴とする画像処理装置。
【請求項９】
請求項１から請求項８のいずれか一項に記載の画像処理装置と、
前記表示用画像情報を取得して、当該表示用画像情報に相当する画像を表示する前記表示手段と、
を備えることを特徴とする表示装置。
【請求項１０】
表示手段に表示すべき画像に相当する画像情報を取得する画像情報取得工程と、
前記表示された画像を視る者の年齢に対応した年齢対応情報を取得する年齢対応情報取得工程と、
前記画像における青色成分に相当する輝度を前記取得した年齢対応情報に基づいて低減しつつ、当該年齢対応情報に基づいて当該画像情報から表示用画像情報を生成し、前記表示手段に出力して表示させる生成工程と、
を含むことを特徴とする画像処理方法。
【請求項１１】
表示手段に接続される画像処理装置に含まれるコンピュータを、
前記表示手段に表示すべき画像に相当する画像情報を取得する画像情報取得手段、
前記表示された画像を視る者の年齢に対応した年齢対応情報を取得する年齢対応情報取得手段、及び、
前記画像における青色成分に相当する輝度を前記取得した年齢対応情報に基づいて低減しつつ、当該年齢対応情報に基づいて当該画像情報から表示用画像情報を生成し、前記表示手段に出力して表示させる生成手段、
として機能させることを特徴とする画像処理用プログラム。
【発明の詳細な説明】
【技術分野】
【０００１】
本発明は、画像処理装置、表示装置並びに画像処理方法及び画像処理用プログラムの技術分野に属する。より詳細には、ユーザにとって見易い状態で画像を表示するための画像処理装置、表示装置並びに画像処理方法、及び当該画像処理装置用のプログラムの技術分野に属する。
【背景技術】
【０００２】
近年、パーソナルコンピュータやタブレット型端末装置の利用者の年齢幅が拡がっており、例えば高齢者や子供であっても上記パーソナルコンピュータ等を使用する機会が増えている。このため、幅広い年齢層のユーザにとって見易い状態で静止画や動画を含む画像を表示することが求められている。この様な観点で為された発明を開示する特許文献としては、例えば下記特許文献１が挙げられる。
【０００３】
上記特許文献１に開示されている発明では、例えば顔認識や個人情報の取得等の方法により、例えば高齢者の場合は高齢者出力モードを適用するというように、ユーザに最適な表示を実現する構成とされている。このとき、特許文献１に開示されている上記高齢者出力モードでは、加齢による影響（例えば加齢黄斑変性による影響）により物の見え方が一般に黄色っぽくなることに着目し、表示される画像における青色成分を強調する処理を適用することとされている。また、いわゆる順応輝度が低下する点や、画像自体がぼやけて見えるようになってしまう点を考慮して、明るさの強調やコントラストの強調を行う構成ともされている。
【先行技術文献】
【特許文献】
【０００４】
【特許文献１】特開２００９−３０１３２３号公報
【発明の概要】
【発明が解決しようとする課題】
【０００５】
ここで上記特許文献１に開示されている発明では、加齢により画像が黄色っぽく見える場合がある点を補完すべく、当該画像における青色成分の信号強度を強くすることとされている。
【０００６】
しかしながら近年では、上記パーソナルコンピュータ等における表示部のバックライトとして、ＬＥＤ（Light Emitting Diode）が積極的に採用されている。そしてこのＬＥＤは、可視光線における青色領域の光（以下、単に「ブルーライト」と称し、具体的には、波長が４００ナノメートル〜５００ナノメートル程度である光）を強く発しており、それらはエネルギーが強いため、ユーザの眼の網膜等の損傷の原因になると言われている。従って、特許文献１に開示されている発明のように青色成分の信号強度を強くしてしまうと、上記ブルーライトが強くなってしまい、機能が低下した高齢者の眼に対して更なる悪影響を及ぼし得るという問題点があった。
【０００７】
そこで本発明は、上記の各問題点に鑑みて為されたもので、その課題の一例は、画像を視認するユーザの年齢に応じた見易い状態で、且つ当該ユーザの眼を保護しつつ、画像を表示させることが可能な画像処理装置、表示装置並びに画像処理方法、及び当該画像処理装置用のプログラムを提供することにある。
【課題を解決するための手段】
【０００８】
上記の課題を解決するために、請求項１に記載の発明は、ディスプレイ等の表示手段に表示すべき画像に相当する画像情報を取得するコントラスト補正判定部等の画像情報取得手段と、前記表示された画像を視る者の年齢に対応した年齢対応情報を取得する年齢データ取得部等の年齢対応情報取得手段と、前記画像における青色成分に相当する輝度を前記取得した年齢対応情報に基づいて低減しつつ、当該年齢対応情報に基づいて当該画像情報から表示用画像情報を生成し、前記表示手段に出力して表示させるブルーライト制御画素値更新部等の生成手段と、を備える。
【０００９】
上記の課題を解決するために、請求項９に記載の発明は、請求項１から請求項８のいずれか一項に記載の画像処理装置と、前記表示用画像情報を取得して、当該表示用画像情報に相当する画像を表示する前記表示手段と、を備える。
【００１０】
上記の課題を解決するために、請求項１０に記載の発明は、ディスプレイ等の表示手段に表示すべき画像に相当する画像情報を取得する画像情報取得工程と、前記表示された画像を視る者の年齢に対応した年齢対応情報を取得する年齢対応情報取得工程と、前記画像における青色成分に相当する輝度を前記取得した年齢対応情報に基づいて低減しつつ、当該年齢対応情報に基づいて当該画像情報から表示用画像情報を生成し、前記表示手段に出力して表示させる生成工程と、を含む。
【００１１】
上記の課題を解決するために、請求項１１に記載の発明は、ディスプレイ等の表示手段に接続される画像処理装置に含まれるコンピュータを、前記表示手段に表示すべき画像に相当する画像情報を取得する画像情報取得手段、前記表示された画像を視る者の年齢に対応した年齢対応情報を取得する年齢対応情報取得手段、及び、前記画像における青色成分に相当する輝度を前記取得した年齢対応情報に基づいて低減しつつ、当該年齢対応情報に基づいて当該画像情報から表示用画像情報を生成し、前記表示手段に出力して表示させる生成手段、として機能させる。
【００１２】
請求項１又は請求項９乃至請求項１１のいずれか一項に記載の発明によれば、画像における青色成分に相当する輝度を年齢対応情報に基づいて低減しつつ、当該年齢対応情報に基づいて画像情報から表示用画像情報を生成する。よって、表示用画像情報に相当する画像を視認する者の年齢に応じた見易い状態で、且つ当該者の眼を保護しつつ、画像を表示させることができる。
【００１３】
上記の課題を解決するために、請求項２に記載の発明は、請求項１に記載の画像処理装置において、前記生成手段は、（ｉ）前記取得した年齢対応情報に基づいて前記輝度を低減する低減処理、（ii）前記取得した年齢対応情報に基づいて前記画像におけるコントラストを補正するコントラスト補正処理、及び、（iii）前記取得した年齢対応情報に基づいて前記画像における色を補正する色補正処理、のうち、前記低減処理を含むいずれかの処理を、前記取得した画像情報に対して実行して前記表示用画像情報を生成するように構成される。
【００１４】
請求項２に記載の発明によれば、請求項１に記載の発明の作用に加えて、生成手段が、低減処理、コントラスト補正処理、及び色補正処理、のうち、低減処理を含むいずれかの処理を画像情報に対して実行して表示用画像情報を生成する。よって、多面的な処理により、画像を視認する者の年齢に応じた見易い状態で、且つ当該者の眼を効果的に保護しつつ、画像を表示させることができる。
【００１５】
上記の課題を解決するために、請求項３に記載の発明は、請求項２に記載の画像処理装置において、前記取得した年齢対応情報に対応する前記年齢が、子供又は成人を示すものとして予め設定された年齢閾値以下の年齢である場合に、前記生成手段は、前記輝度の低減が前記年齢閾値に対応して予め設定された低減閾値以上である前記低減処理、及び、前記コントラストの補正が前記年齢閾値に対応して予め設定された補正閾値以下である前記コントラスト補正処理、を実行するように構成される。
【００１６】
請求項３に記載の発明によれば、請求項２に記載の発明の作用に加えて、年齢対応情報に対応する年齢が年齢閾値以下の年齢である場合に、輝度の低減が低減閾値以上である低減処理、及び、コントラストの補正が補正閾値以下であるコントラスト補正処理、を実行する。よって、子供又は成人の眼を保護すると共に、見易いコントラストの状態で画像を表示することができる。
【００１７】
上記の課題を解決するために、請求項４に記載の発明は、請求項２に記載の画像処理装置において、前記取得した年齢対応情報に対応する前記年齢が、成人を示すものとして予め設定された年齢幅閾値内の年齢である場合に、前記生成手段は、前記輝度の低減が前記年齢幅閾値に対応して予め設定された低減閾値以上である前記低減処理、前記コントラストの補正が前記年齢幅閾値に対応して予め設定された補正閾値以上である前記コントラスト補正処理、及び、前記年齢幅閾値に対応して前記画像全体の輝度を下げる輝度補正処理、を実行するように構成される。
【００１８】
請求項４に記載の発明によれば、請求項２に記載の発明の作用に加えて、年齢対応情報に対応する年齢が年齢幅閾値内の年齢である場合に、輝度の低減が低減閾値以上である低減処理、コントラストの補正が補正閾値以上であるコントラスト補正処理、及び、年齢幅閾値に対応した画像全体の輝度を下げる輝度補正処理、を実行する。よって、成人の眼を保護すると共に、見易いコントラスト及び画像輝度の状態で画像を表示することができる。
【００１９】
上記の課題を解決するために、請求項５に記載の発明は、請求項２に記載の画像処理装置において、前記者が、高齢者を示すものとして予め設定された年齢閾値以上の年齢の者であり、且つ当該者が予め設定された眼の病気に罹っていることが、前記取得した年齢対応情報により示されている場合に、前記生成手段は、前記輝度の低減が予め設定された低減閾値以下である前記低減処理、前記コントラストの補正が予め設定された補正閾値以上である前記コントラスト補正処理、及び、前記取得した年齢対応情報に基づいて前記色を補正する前記色補正処理、を実行するように構成される。
【００２０】
請求項５に記載の発明によれば、請求項２に記載の発明の作用に加えて、画像を視る者が既定の年齢閾値以上の高齢者であり、且つ当該者が既定の眼の病気に罹っていることが示されている場合に、輝度の低減が低減閾値以下である低減処理、コントラストの補正が補正閾値以上であるコントラスト補正処理、及び、年齢対応情報に基づいて色を補正する色補正処理、を実行する。よって、高齢者において見易い状態で画像を表示することができる。
【００２１】
上記の課題を解決するために、請求項６に記載の発明は、請求項１から請求項５のいずれか一項に記載の画像処理装置において、時刻、日、月又は季節のいずれかを示す時情報を取得する時刻取得部等の時情報取得手段を更に備え、前記生成手段は、前記青色成分に相当する前記輝度を前記取得した年齢対応情報及び前記取得した時情報に基づいて低減しつつ、当該年齢対応情報及び当該時情報に基づいて前記画像情報から前記表示用画像情報を生成するように構成される。
【００２２】
請求項６に記載の発明によれば、請求項１から請求項５のいずれか一項に記載の発明の作用に加えて、青色成分に相当する輝度を年齢対応情報及び時情報に基づいて低減しつつ、当該年齢対応情報及び当該時情報に基づいて表示用画像情報を生成する。よって、画像を視認する者の年齢に応じた見易い状態で、且つ当該者の眼を保護し、更にその者の視覚を通じた体内リズム等に合致させて、画像を表示させることができる。
【００２３】
上記の課題を解決するために、請求項７に記載の発明は、請求項６に記載の画像処理装置において、前記取得した時情報に基づいて前記生成手段は、前記画像を視認する者の活動時間における前記青色成分に相当する前記輝度が、当該活動時間以外の時間における当該輝度に対して相対的に高くなるようにして前記表示用画像情報を生成するように構成される。
【００２４】
請求項７に記載の発明によれば、請求項６に記載の発明の作用に加えて、画像を視認する者の活動時間における青色成分に相当する輝度が、当該活動時間以外の時間における当該輝度に対して相対的に高くなるようにして表示用画像情報を生成する。よって、画像を視認する者の活動時間とそれ以外の時間における体内リズム等に合致させて画像を表示させることができる。
【００２５】
上記の課題を解決するために、請求項８に記載の発明は、請求項１から請求項７のいずれか一項に記載の画像処理装置において、前記年齢対応情報取得手段により新たな前記年齢対応情報が取得されたとき、前記生成手段は当該新たな年齢対応情報に基づいて、前記低減処理を含むいずれかの処理を、前記取得した画像情報に対して実行して前記表示用画像情報を生成するように構成される。
【００２６】
請求項８に記載の発明によれば、請求項１から請求項７のいずれか一項に記載の発明の作用に加えて、新たな年齢対応情報に基づいて、低減処理を含むいずれかの処理を実行して表示用画像情報を生成するので、新たな年齢対応情報が取得できた場合にも、画像を視認する者の年齢に応じた見易い状態で、且つ当該者の眼を保護しつつ、適切に画像を表示させることができる。
【発明の効果】
【００２７】
本発明によれば、画像における青色成分に相当する輝度を年齢対応情報に基づいて低減しつつ、当該年齢対応情報に基づいて画像情報から表示用画像情報を生成する。
【００２８】
従って、表示用画像情報に相当する画像を視認する者の年齢に応じた見易い状態で、且つ当該者の眼を保護しつつ、画像を表示させることができる。
【図面の簡単な説明】
【００２９】
【図１】実施形態に係る表示装置の概要構成を示すブロック図である。
【図２】実施形態に係るコントラストの補正処理を示す図であり、（ａ）は当該補正処理を実行しない場合を示す図であり、（ｂ）は当該補正処理を実行する場合の第一例を示す図であり、（ｃ）は当該補正処理を実行する場合の第二例を示す図であり、（ｄ）は当該補正処理を実行する場合の第三例を示す図である。
【図３】実施形態に係るバックライトの輝度の時刻に対応した制御処理を示す図である。
【図４】実施形態に係る制御処理を示すフローチャートである。
【発明を実施するための形態】
【００３０】
（Ｉ）本発明の原理
初めに、本発明の具体的な実施形態を説明する前に、本発明に係る原理について簡潔に説明する。
【００３１】
後ほど実施形態において詳述するように、本発明では、上記液晶ディスプレイ等からなるディスプレイを視認するユーザの年齢及び性別を示すデータを取得し、そのデータに基づいて、当該ディスプレイを用いた表示におけるコントラストの補正、色の補正及び上記ブルーライトの制御をそれぞれ行う。なお以下の説明において、上記年齢及び性別を単に「年齢等」と称する。このときのブルーライトの制御では、当該ユーザの年齢等に合わせて、必要に応じて当該画像におけるブルーライトの輝度を低減する。このように当該ユーザの年齢等に合わせて表示のコントラスト等を最適化することで、当該年齢等に適合した視認し易い状態で、且つ必要に応じて当該ユーザの眼をブルーライトから保護しつつ、必要な画像を表示させる。
【００３２】
（II）実施形態
次に、上述した原理に基づく本発明を実施するための形態について、図１乃至図４を用いて説明する。なお、以下に説明する実施形態は、液晶ディスプレイからなるディスプレイを備えて動画及び静止画を含む画像を表示する表示装置における表示状態（即ち、当該画像におけるコントラスト、色及びブルーライトの輝度等）の制御処理に対して、本発明を適用した場合の実施の形態である。また以下の説明において、上記実施形態に係る表示状態の制御処理を、単に「実施形態に係る制御処理」と称する。
【００３３】
更に、図１は実施形態に係る表示装置の概要構成を示すブロック図であり、図２は実施形態に係るコントラストの補正処理を示す図であり、図３は実施形態に係るブルーライトの強度の時刻に対応した制御処理を示す図であり、図４は実施形態に係る制御処理を示すフローチャートである。
【００３４】
図１に示すように、実施形態に係る表示装置Ｄは、画像生成部１と、ＣＰＵ、ＲＯＭ（Read Only Memory）及びＲＡＭ（Random Access Memory）等により構成される制御部２と、コントラスト補正判定部３と、上記ブルーライトを発生（発光）するＬＥＤであるバックライトを有する液晶ディスプレイ等からなるディスプレイ４と、ハードディスク等の記録媒体により構成され、後述する輝度テーブル等を不揮発性に記録する記録部５と、コントラスト補正画素値更新部６と、色補正判定部７と、ディスプレイ４を視認するユーザの年齢等を示す年齢データＳageを取得する年齢データ取得部８と、色補正画素値更新部９と、現在時刻を示す時刻データＳtを取得する時刻取得部１０と、ブルーライト制御判定部１１と、ブルーライト制御画素値更新部１２と、により構成されている。
【００３５】
このとき、ディスプレイ４が本発明に係る「表示手段」の一例に相当し、コントラスト補正判定部３が本発明に係る「画像情報取得手段」の一例に相当し、年齢データ取得部８が本発明に係る「年齢対応情報取得手段」の一例に相当する。また、ブルーライト制御画素値更新部１２が本発明に係る「生成手段」の一例に相当し、時刻取得部１０が本発明に係る「時情報取得手段」の一例に相当する。
【００３６】
この構成において画像生成部１は、ディスプレイ４に表示されるべき画像（静止画又は動画の少なくともいずれか一方を含む。以下同様。）に相当する画像情報Ｓinを生成してコントラスト補正判定部３に出力する。一方記録部５は、実施形態に係る制御処理のための予め設定された各種テーブルを不揮発性に複数記録している。
【００３７】
ここで、実施形態に係る上記既定の各種テーブルとして具体的には、上記コントラストの補正に用いられる強度補正テーブルと、上記色の補正に用いられる色補正テーブルと、上記ブルーライトの制御に用いられる輝度テーブルと、が、それぞれ不揮発性に記録部５に記録されている。例えば図１に例示する表示装置Ｄの場合、上記強度補正テーブルとしての第１強度補正テーブルＴＣ１乃至第ｎ強度補正テーブルＴＣｎ（ｎは自然数）と、上記色補正テーブルとしての第１色補正テーブルＴＬ１乃至第ｍ色補正テーブルＴＬｍ（ｍは自然数）と、上記輝度テーブルとしての第１輝度テーブルＴＢ１乃至第ｐ輝度テーブルＴＢｐ（ｐは自然数）と、が、それぞれ不揮発性に記録されている。これら各種テーブルについては、後ほど詳述する。なお以下の説明において、上記第１強度補正テーブルＴＣ１乃至第ｎ強度補正テーブルＴＣｎに共通な事項を説明する場合、これらを纏めて単に「強度補正テーブルＴＣ」と称する。また上記第１色補正テーブルＴＬ１乃至第ｎ色補正テーブルＴＬｍに共通な事項を説明する場合、これらを纏めて単に「色補正テーブルＴＬ」と称する。更に、上記第１輝度テーブルＴＢ１乃至第ｐ輝度テーブルＴＢｐに共通な事項を説明する場合、これらを纏めて単に「輝度テーブルＴＢ」と称する。
【００３８】
一方年齢データ取得部８は、上記年齢データＳageを取得して制御部２に出力する。このとき年齢データ取得部８は、例えば図示しない入力部を上記ユーザが操作することにより入力された上記年齢データＳageを当該入力部から取得してもよい。或いは年齢データ取得部８は、例えば上記ユーザが受診している病院のカルテに相当するカルテデータを当該病院から例えばインターネット等のネットワークを介して取得し、そのカルテデータから上記年齢データＳageを抽出して制御部２に出力してもよい。更に年齢データ取得部８は、例えば上記特許文献１に記載されているような顔認識技術を用いてユーザの年齢等を推定／検出し、当該検出された年齢等を示す上記年齢データＳageを抽出して制御部２に出力してもよい。他方時刻取得部１０は、例えば図示しないタイマから上記時刻データＳtを取得し、制御部２に出力する。
【００３９】
これらにより制御部２は、上記年齢データＳage及び時刻データＳtに基づき、ディスプレイ４に表示すべき画像において上記実施形態に係る各制御処理の対象とする部分を示す等の役割を担うオン／オフ信号、及び当該制御処理を実行する場合において当該制御処理に用いられる上記各種テーブルを指定するためのテーブル指定信号等を含む制御信号Ｓcを生成する。この場合に制御部２は、上記表示すべき画像において上記実施形態に係る各制御処理の対象とする部分に相当する画像情報Ｓinの画素値が画像生成部１から入力されるタイミングにおいては、オン信号である上記オン／オフ信号を含む制御信号Ｓcを生成する。これに対し制御部２は、上記実施形態に係る各制御処理の対象としない部分に相当する画像情報Ｓinの画素値が画像生成部１から入力されるタイミングにおいては、オフ信号である上記オン／オフ信号を含む制御信号Ｓcを生成する。なお、ディスプレイ４に表示する画像が例えば映画に相当する画像であることが例えば上記入力部におけるユーザの操作により判明している場合に制御部２は、その画質等を維持すべく、実施形態に係る制御処理を実行しない旨の上記オフ信号を制御信号Ｓcに含ませるのが好ましい。これに対して、ディスプレイ４に表示する画像が例えば事務用の文書に相当する画像であることが判定している場合、制御部２は、実施形態に係る制御処理により例えばブルーライトの強度を有効に制御すべく、当該制御処理を実行する旨の上記オン信号を制御信号Ｓcに含ませるのが好ましい。
【００４０】
また制御部２は、実施形態に係る制御処理を実行する場合においては、年齢データＳageにより示される年齢等、及び時刻データＳtにより示される時刻に基づき、強度補正テーブルＴＣ、色補正テーブルＴＬ及び輝度テーブルＴＢを指定するための上記テーブル指定信号を生成する。その後制御部２は、上記コントラストの補正の対象とする画像の部分を示す上記オン／オフ信号を制御信号Ｓcとしてコントラスト補正判定部３に出力し、上記色の補正の対象とする画像の部分を示す上記オン／オフ信号を制御信号Ｓcとして色補正判定部７に出力し、上記ブルーライトの制御の対象とする画像の部分を示す上記オン／オフ信号を制御信号Ｓcとしてブルーライト制御判定部１１に出力し、更に上記テーブル指定信号を制御信号Ｓcとして上記記録部５に出力する。
【００４１】
なお以下の説明において、上記コントラストの補正の対象とする画像の部分を示す上記オン／オフ信号を単に「コントラスト補正オン／オフ信号」と称し、上記色の補正の対象とする画像の部分を示す上記オン／オフ信号を単に「色補正オン／オフ信号」と称し、上記ブルーライトの制御の対象とする画像の部分を示す上記オン／オフ信号を単に「ブルーライト制御オン／オフ信号」と称する。また、強度補正テーブルＴＣを指定するための上記テーブル指定信号を単に「強度補正テーブル指定信号」と称し、上記色補正テーブルＴＬを指定するための上記テーブル指定信号を単に「色補正テーブル指定信号」と称し、上記輝度テーブルＴＢを指定するための上記テーブル指定信号を単に「輝度テーブル指定信号」と称する。
【００４２】
上記制御部２の動作によりコントラスト補正判定部３は、当該制御部２からの上記コントラスト補正オン／オフ信号に基づき、上記画像のうち上記コントラストの補正の対象とする部分に相当する画像情報Ｓinの画素については、その画素値をコントラスト補正画素値更新部６に出力する。一方、上記画像のうち上記コントラストの補正の対象とする部分以外の部分に相当する画像情報Ｓinの画素については、その画素値をそのまま色補正判定部７に出力する。
【００４３】
次に記録部５は、制御部２からの上記強度補正テーブル指定信号により指定されている強度補正テーブルＴＣに含まれる強度補正パラメータを、コントラスト補正画素値更新部６に出力する。
【００４４】
これらによりコントラスト補正画素値更新部６は、コントラスト補正判定部３から出力されてくる画像情報Ｓinに含まれている各画素における例えば赤色成分、青色成分及び緑色成分それぞれの画素値（より具体的には、例えば輝度値）を、記録部５から出力された上記強度補正パラメータに対応した画素値に更新し、そのコントラストが当該強度補正パラメータに基づいて補正されたコントラスト補正画像情報Ｓccとして色補正判定部７に出力する。このとき、上記画素値（又は輝度値）の上限値は階調数によって決定され、ディスプレイ４がＲＧＢ（Red Green Blue）色空間を用いた２４ビットの液晶ディスプレイであれば、その上限値は三色の色成分ごとに「２５５（２８−１）」である。またディスプレイ４がＲＧＢ色空間を用いた１８ビットの液晶ディスプレイであれば、その上限値は三色の色成分ごとに「６３（２６−１）」である。また以下の説明において、上記赤色成分、青色成分及び緑色成分に共通の事項を説明する場合、単に「各色成分」と称する。
【００４５】
次に上記強度補正テーブルＴＣについて、具体的に図２を用いて説明する。上述したように制御部２は、ディスプレイ４に表示される画像のうち上記コントラストの補正の対象とする部分に相当する画像情報Ｓinの画素について、当該コントラストの補正に用いられる強度補正テーブルＴＣを指定する上記強度補正テーブル指定信号を記録部５に出力する。このとき、実施形態に係る強度補正テーブルＴＣとしては、例えば、コントラストの補正強度「弱」に相当する第１強度補正テーブルＴＣ１と、当該補正強度「中」に相当する第２補正強度テーブルＴＣ２と、当該補正強度「強」に相当する第３強度補正テーブルと、が予め設定され、それぞれの補正強度テーブルＴＣに相当する強度補正パラメータが記録部５に不揮発性に記録されている。この場合、上記ｎが「３」であることになる。そして、ディスプレイ４がＲＧＢ色空間を用いた２４ビットの液晶ディスプレイであり、且つコントラストの補正をしない場合の各色における入力画素値と出力画素値との関係が図２（ａ）に例示する関係であるとすると、補正強度「弱」に相当する上記第１補正強度テーブルＴＣ１としては、例えば図２（ｂ）に例示するような態様（図２（ａ）に例示する場合との相違は図２（ｂ）中破線矢印参照）でコントラストを補正するための当該第１補正強度テーブルＴＣ１が記録されている。また同様に、補正強度「中」に相当する上記第２補正強度テーブルＴＣ２としては、例えば図２（ｃ）に例示するような態様（図２（ｂ）に例示する場合との相違は図２（ｃ）中破線矢印参照）でコントラストを補正するための当該第２補正強度テーブルＴＣ２が記録されている。更に、補正強度「強」に相当する上記第３補正強度テーブルとしては、例えば図２（ｄ）に例示するような態様（図２（ｃ）に例示する場合との相違は図２（ｄ）中破線矢印参照）でコントラストを補正するための第３補正強度テーブルが記録されている。なお、各補正強度テーブルＴＣに含まれる具体的な補正強度パラメータの値としては、例えば、年代別の分光視感効率を規定したＪＩＳ  Ｓ００３１規格に沿って設定するのが好ましい。
【００４６】
一方上述したように制御部２は、コントラストの補正については、年齢データＳageにより示される年齢等に基づき、その年齢等に対応した強度補正テーブルＴＣを指定するための上記補正強度テーブル指定信号を生成する。
【００４７】
より具体的に、年齢データＳageにより示される年齢が予め設定された第１閾値年齢以下の「子供」に該当する年齢である場合、一般に子供の眼では画像の暗い部分及び明るい部分共に比較的見易いとされている。そこで制御部２は、コントラストの補正自体をオフとする（即ち、オフ信号に相当する上記コントラスト補正オン／オフ信号を生成してコントラスト補正判定部３に出力する）か、又は当該補正の強度を「弱」とするべく上記第１補正強度テーブルＴＣ１を指定するための補正強度テーブル指定信号を生成して記録部５に出力する。
【００４８】
一方、年齢データＳageにより示される年齢が上記第１閾値年齢より高く且つ予め設定された第２閾値年齢以下の「成人」に該当する年齢である場合、一般に成人の眼でも暗い部分及び明るい部分共に比較的見易いとされている。そこで制御部２は、上記「子供」の場合と同様に、コントラストの補正自体をオフとするか、又は上記第１補正強度テーブルＴＣ１を指定するための補正強度テーブル指定信号を生成して記録部５に出力する。なおこのとき、ディスプレイ４自体の明るさ（ブライトネス）が強いと眼が疲れ易いと言われているため、制御部２がコントラストの補正強度を上げるための補正強度テーブルＴＣを指定すると共に当該ブライトネスを下げるように制御することで、画像としての視認性を確保しつつ、眼の疲れを軽減するように構成してもよい。
【００４９】
更に、年齢データＳageにより示される年齢が上記第２閾値年齢より高い「高齢者」の年齢である場合、一般に画像の暗い部分が見えづらいとされている。そこで制御部２は、コントラストの補正の強度を「中」又は「強」とするべく上記第２補正強度テーブルＴＣ２又は上記第３補正強度テーブルを指定するための補正強度テーブル指定信号を生成して記録部５に出力する。
【００５０】
以上の制御部２、コントラスト補正判定部３、記録部５及びコントラスト補正画素値更新部６の動作により、年齢データＳageにより示される年齢に基づいてディスプレイ４に表示される画像のコントラストの強度が適切に補正される。なお、上記第１閾値年齢及び上記第２閾値年齢それぞれの具体的な値は、例えば統計的或いは経験的な数値に基づいて予め設定されていればよい。
【００５１】
次に、上記制御部２の動作により色補正判定部７は、当該制御部２からの上記色補正オン／オフ信号に基づき、上記画像のうち上記色の補正の対象とする部分に相当する上記コントラスト補正画像情報Ｓccの画素については、その画素値を色補正画素値更新部９に出力する。一方、上記画像のうち上記色の補正の対象とする部分以外の部分に相当する上記コントラスト補正画像情報Ｓccの画素については、その画素値をそのままブルーライト制御判定部１１に出力する。
【００５２】
そして記録部５は、制御部２からの上記色補正テーブル指定信号により指定されている色補正テーブルＴＬに含まれる色補正パラメータを、色補正画素値更新部９に出力する。
【００５３】
これらにより色補正画素値更新部９は、色補正判定部７から出力されてくるコントラスト補正画像情報Ｓccに含まれている各画素における例えば各色成分それぞれの画素値を、記録部５から出力された上記色補正パラメータに対応した画素値に更に更新し、その色が当該色補正パラメータに基づいて補正された色補正画像情報Ｓclとしてブルーライト制御判定部１１に出力する。
【００５４】
次に上記色補正テーブルＴＬについて説明する。上述したように制御部２は、ディスプレイ４に表示される画像のうち上記色の補正の対象とする部分に相当するコントラスト補正画像情報Ｓccの画素について、当該色の補正に用いられる色補正テーブルＴＬを指定する上記色補正テーブル指定信号を記録部５に出力する。このとき、実施形態に係る色補正テーブルＴＬとしては、例えば、高齢者において加齢による黄斑変性に伴って画像全体が黄色っぽく見えるようになっていわゆる寒色が見えづらくなっている場合に備え、いわゆる暖色の比率を上げる色補正を行うための色補正テーブルＴＬが予め設定され、それに相当する色補正パラメータが記録部５に不揮発性に記録されている。この場合、上記ｍが「１」であることになる。なお、当該色補正テーブルＴＬに含まれる具体的な色補正パラメータの値としては、例えば、年齢を考慮した基本色領域に基づく組み合わせ方法を規定したＪＩＳ  Ｓ００３３規格、或いは「シニアコム  色に関するアンケート（例えばＵＲＬ「http://www.seniorcom.co.jp/pdf/120615_survey_iro.pdf」参照）」等の内容に沿って設定するのが好ましい。
【００５５】
一方上述したように制御部２は、色の補正については、年齢データＳageにより示される年齢等に基づき、その年齢等に対応した色補正テーブルＴＬを指定するための上記色補正テーブル指定信号を生成する。
【００５６】
より具体的に、例えばディスプレイ４の出荷時等において既定の測色器により測定された色の再現が正常である場合、年齢データＳageにより示される年齢が上記「子供」に該当する年齢であるとき及び上記「成人」に該当する年齢であるときには、一般に色の補正は不要であるとされている。そこで制御部２は、色の補正自体をオフとする（即ち、オフ信号に相当する上記色補正オン／オフ信号を生成して色補正判定部７に出力する）と共に、上記色補正テーブル指定信号は生成しない。
【００５７】
これに対し、年齢データＳageにより示される年齢が上記「高齢者」に該当する年齢である場合、上記黄斑変性の可能性を考慮して制御部２は、実施形態に係る色の補正を行うべく上記色補正テーブルＴＬを指定するための色補正テーブル指定信号を生成して記録部５に出力する。
【００５８】
以上の制御部２、色補正判定部７、記録部５及び色補正画素値更新部９の動作により、年齢データＳageにより示される年齢に基づいてディスプレイ４に表示される画像の色が適切に補正される。
【００５９】
次に、上記制御部２の動作によりブルーライト制御判定部１１は、当該制御部２からの上記ブルーライト制御オン／オフ信号に基づき、上記画像のうち上記ブルーライトの制御の対象とする部分に相当する上記色補正画像情報Ｓclの画素については、その画素値をブルーライト制御画素値更新部１２に出力する。一方、上記画像のうち上記ブルーライトの制御の対象とする部分以外の部分に相当する上記色補正画像情報Ｓclの画素については、その画素値をそのままディスプレイ４に出力する。
【００６０】
そして記録部５は、制御部２からの上記輝度テーブル指定信号により指定されている輝度テーブルＴＢに含まれる輝度制御パラメータを、ブルーライト制御画素値更新部１２に出力する。
【００６１】
これらによりブルーライト制御画素値更新部１２は、ブルーライト制御判定部１１から出力されてくる色補正画像情報Ｓclに含まれている各画素における例えば各色成分それぞれの画素値を、記録部５から出力された上記輝度制御パラメータに対応した画素値に更新し、対応するブルーライトの輝度が当該輝度制御パラメータに基づいて制御されたブルーライト制御画像情報Ｓbcとしてディスプレイ４に出力する。
【００６２】
次に、上記輝度テーブルＴＢについて、具体的に図３を用いて説明する。上述したように制御部２は、ディスプレイ４に表示される画像のうち上記ブルーライトの制御の対象とする部分に相当する色補正画像情報Ｓclの画素について、当該ブルーライトの制御に用いられる輝度テーブルＴＢを指定する上記輝度テーブル指定信号を記録部５に出力する。
【００６３】
ここで実施形態に係るブルーライトの制御では、例えば、ディスプレイ４に表示される画像における青色成分の画素値（輝度値）を他の色成分の画素値に対して相対的に小さくする方法や、ディスプレイ４のバックライトの輝度自体を低減する方法等を用いて、当該画像におけるブルーライトの輝度を低減する。これに加えて実施形態に係るブルーライトの制御では、例えば図３に示すように、一日のうちの時刻（図３横軸参照）に応じてディスプレイ４に表示される画像におけるブルーライトの低減率（図３縦軸参照）を制御する。即ち、上記画像を視るユーザの活動時間帯が昼間である場合、当該ユーザが就寝する夜間よりも低減率を下げる（換言すれば、夜間に比べて昼間にブルーライトの輝度を増強する）。図３に例示する低減率の制御パターンを用いてブルーライトを制御するのは、一般にブルーライトは人の時刻調整に作用するとも言われており、時刻に応じたそのオン／オフ又は低減率の変更（制御）を行うべきとされているからである。図３に例示する制御パターンは、昼間はブルーライトがより必要となり、屋内における通常の生活だけでは足りない可能性も指摘されていることによる。そして、上述したようなブルーライトの制御に供される、実施形態に係る輝度テーブルＴＢとしては、図３に例示する変化を有する時刻毎のブルーライトの低減率を示す輝度テーブルＴＢが、上記年齢等毎に複数予め設定され、それぞれの輝度テーブルＴＢに相当する輝度制御パラメータが記録部５に不揮発性に記録されている。このとき、年齢毎の輝度テーブルＴＢとしては例えば、低減率が予め設定された第１低減率閾値以上である「低減率；大」の第１輝度テーブルＴＢ１と、低減率が上記第１低減率閾値未満で且つ予め設定された第２低減率閾値以上である「低減率；中」の第２輝度テーブルＴＢ２と、低減率が上記第２低減率閾値未満である「低減率；小」の第３輝度テーブルと、が、記録部５に記録されている。この場合、上記ｐが「３」であることになる。このとき、「低減率；大」の第１輝度テーブルＴＢ１、「低減率；中」の第２輝度テーブルＴＢ２及び「低減率；小」の第３輝度テーブルそれぞれにおける時刻毎の低減率の変化は、例えば図３に例示する変化に相当する変化となるように予め設定されている。なお、各輝度テーブルＴＢに含まれる具体的な輝度制御パラメータの値としては、例えば、黄斑変性の年齢別受療数（例えば、ＵＲＬ「http://homepage3.nifty.com/SAI-EYE-CLINIC/page/ohan/ohan.html」参照）」等の内容に沿って設定するのが好ましい。また、上記第１低減率閾値及び上記第２低減率閾値それぞれの具体的な値は、例えば統計的或いは経験的な数値に基づいて予め設定されていればよい。
【００６４】
そして、上述したように制御部２は、ブルーライトの制御については、年齢データＳageにより示される年齢等及び時刻データＳtにより示される現在時刻に基づき、その年齢等及び現在時刻に対応した輝度テーブルＴＢを指定するための上記輝度テーブル指定信号を生成する。
【００６５】
より具体的に制御部２は、年齢データＳageにより示される年齢が上記「子供」に該当する年齢である場合、一般に子供の眼は成長過程にあるため外光等の影響を受け易いとされており、成人の眼よりも感受性が強いとされている。また、加齢と共に小さくなるとされている眼の瞳孔も子供のうちは大きく、成人の眼よりも外光が眼の中に入り易い状態にあるとされており、これらのことは即ち、子供の眼は上記ブルーライトの透過率が高いことを示している。従ってこの場合に制御部２は、上記「低減率；大」の第１輝度テーブルＴＢ１を指定する輝度テーブル指定信号を生成して記録部５に出力する。
【００６６】
一方、年齢データＳageにより示される年齢が上記「成人」に該当する年齢である場合では、例えばディスプレイ４を長時間に渡って視続ける作業では、バックライトを構成する上記ＬＥＤが発するブルーライトが、いわゆる加齢黄斑変性症や睡眠障害（いわゆるサーカディアンリズムの乱れ）の原因となる可能性があるとされている。従ってこの場合に制御部２は、上記「低減率；大」の第１輝度テーブルＴＢ１又は「低減率；中」の第２輝度テーブルＴＢ２を指定する輝度テーブル指定信号を生成して記録部５に出力する。
【００６７】
更に、年齢データＳageにより示される年齢が上記「高齢者」の年齢である場合、そのユーザが例えば加齢黄斑変性に罹っていることが上記年齢データＳage等により示されているのであれば、そもそも当該黄斑変性によりブルーライト自体がカットされてしまう。従ってこの場合に制御部２は、上記「低減率；小」の第３輝度テーブルを指定する輝度テーブル指定信号を生成して記録部５に出力する。なおこの場合に制御部２は、当該輝度テーブル指定信号を出力せずに、実施形態に係るブルーライトの制御自体をオフとする旨の上記ブルーライト制御オン／オフ信号を生成して、ブルーライト制御判定部１１に出力してもよい。
【００６８】
以上の制御部２、ブルーライト制御判定部１１、記録部５及びブルーライト制御画素値更新部１２の動作により、年齢データＳageにより示される年齢に基づいてディスプレイ４に表示される画像におけるブルーライトが適切に制御される。
【００６９】
なお、ブルーライトの輝度の低減については、上記ブルーライト制御判定部１１及びブルーライト制御画素値更新部１２等の動作による方法の他に、ディスプレイ４のバックライトを構成するＬＥＤ自体の輝度（ブライトネス）を画像の部分的又は全体として低減することにより、当該ブルーライトの輝度を低減する構成としてもよい。この場合に制御部２は、例えば図３に例示する変化に沿って上記ＬＥＤの輝度を制御する。
【００７０】
最後にディスプレイ４は、ブルーライト制御判定部１１から出力されてきた色補正画像情報Ｓcl又はブルーライト制御画素値更新部１２から出力されてきたブルーライト制御画像情報Ｓbcのいずれか一方を表示情報Ｓoutとして受信し、当該表示情報Ｓoutに相当する画像を表示する。
【００７１】
次に、実施形態に係る制御処理について、時系列的に纏めつつ図４を用いて説明する。なお、図４に示す当該制御処理は、例えば表示装置Ｄの電源スイッチがオンとされたタイミングから開始され、主として制御部２を中心として実行される。
【００７２】
図４に示すように、実施形態に係る制御処理においては初めに、上記年齢データ取得部８を介して上記年齢データＳageを取得し（ステップＳ１）、更に上記時刻取得部１０を介して上記時刻データＳtを取得する（ステップＳ２）。このとき、ステップＳ２の時刻データＳtは例えば所定の時間間隔で定期的に実行するのが好ましいが、ステップＳ１の年齢データＳageの取得は、例えば表示装置Ｄの上記電源スイッチがオンとされたタイミング毎に実行するのが好ましい。
【００７３】
次に、画像生成部１から上記画像情報Ｓinが入力されると、最初にコントラスト補正判定部３に取り込まれる（ステップＳ３）。そして制御部２は、上述した基準に従って実施形態に係るコントラストの補正を実行するか否かを判定し、その判定結果に対応する上記コントラスト補正オン／オフ信号を生成して制御信号Ｓcとしてコントラスト補正判定部３に出力する（ステップＳ４）。ステップＳ４の判定において実施形態に係るコントラストの補正を実行しない場合（ステップＳ４；ＮＯ）、コントラスト補正判定部３は画像情報Ｓinをそのまま色補正判定部７に出力し、更に制御部２は後述するステップＳ７に移行する。一方ステップＳ４の判定において実施形態に係るコントラストの補正を実行する場合（ステップＳ４；ＹＥＳ）、コントラスト補正判定部３は画像情報Ｓinをコントラスト補正画素値更新部６に出力すると共に、制御部２は、上述した基準に従って上記強度補正テーブル指定信号を生成し、制御信号Ｓcとして記録部５に出力することで、その時点で必要とされている強度補正テーブルＴＣを指定する（ステップＳ５）。
【００７４】
そして記録部５では、制御部２からの上記強度補正テーブル指定信号により示されている強度補正テーブルＴＣの選定（換言すれば、コントラストの補正の強度の指定）が行われ、当該選定された強度補正テーブルＴＣに含まれる強度補正パラメータがコントラスト補正画素値更新部６に出力される。
【００７５】
これらによりコントラスト補正画素値更新部６は、コントラスト補正判定部３から出力されてくる画像情報Ｓinに含まれている各画素における各色成分それぞれの画素値を、記録部５から出力された強度補正パラメータにより示される画素値に更新し（ステップＳ６）、上記コントラスト補正画像情報Ｓccとして色補正判定部７に出力する。
【００７６】
次に制御部２は、上述した基準に従って実施形態に係る色の補正を実行するか否かを判定し、その判定結果に対応する上記色補正オン／オフ信号を生成して制御信号Ｓcとして色補正判定部７に出力する（ステップＳ７）。ステップＳ７の判定において実施形態に係る色の補正を実行しない場合（ステップＳ７；ＮＯ）、色補正判定部７はコントラスト補正画素値更新部６から出力されてきた上記コントラスト補正画像情報Ｓccをそのままブルーライト制御判定部１１に出力し、更に制御部２は後述するステップＳ１０に移行する。一方ステップＳ７の判定において実施形態に係る色の補正を実行する場合（ステップＳ７；ＹＥＳ）、色補正判定部７はコントラスト補正画像情報Ｓccを色補正画素値更新部９に出力すると共に、制御部２は、上述した基準に従って上記色補正テーブル指定信号を生成し、制御信号Ｓcとして記録部５に出力することで、その時点で必要とされている色補正テーブルＴＬを指定する（ステップＳ８）。
【００７７】
そして記録部５では、制御部２からの上記色補正テーブル指定信号により示されている色補正テーブルＴＬの選定（換言すれば、色の補正態様の指定）が行われ、当該選定された色補正テーブルＴＬに含まれる色補正パラメータが色補正画素値更新部９に出力される。
【００７８】
これらにより色補正画素値更新部９は、色補正判定部７から出力されてくるコントラスト補正画像情報Ｓccに含まれている各画素における各色成分それぞれの画素値を、記録部５から出力された色補正パラメータにより示される画素値に更新し（ステップＳ９）、上記色補正画像情報Ｓclとしてブルーライト制御判定部１１に出力する。
【００７９】
次に制御部２は、上述した基準に従って実施形態に係るブルーライトの制御を実行するか否かを判定し、その判定結果に対応する上記ブルーライト制御オン／オフ信号を生成して制御信号Ｓcとしてブルーライト制御判定部１１に出力する（ステップＳ１０）。ステップＳ１０の判定において実施形態に係るブルーライトの制御を実行しない場合（ステップＳ１０；ＮＯ）、ブルーライト制御判定部１１は色補正画素値更新部９から出力されてきた上記色補正画像情報Ｓclをそのままディスプレイ４に表示情報Ｓoutとして出力する（ステップＳ１３）。一方ステップＳ１０の判定において実施形態に係るブルーライトの制御を実行する場合（ステップＳ１０；ＹＥＳ）、ブルーライト制御判定部１１は色補正画像情報Ｓclをブルーライト制御画素値更新部１２に出力すると共に、制御部２は、上述した基準に従って上記輝度テーブル指定信号を生成し、制御信号Ｓcとして記録部５に出力することで、その時点で必要とされている輝度テーブルＴＢを指定する（ステップＳ１１）。
【００８０】
そして記録部５では、制御部２からの上記輝度テーブル指定信号により示されている輝度テーブルＴＢの選定（換言すれば、ブルーライトの低減率の指定）が行われ、当該選定された輝度テーブルＴＢに含まれる輝度制御パラメータがブルーライト制御画素値更新部１２に出力される。
【００８１】
これらによりブルーライト制御画素値更新部１２は、ブルーライト制御判定部１２から出力されてくる色補正画像情報Ｓclに含まれている各画素における各色成分それぞれの画素値を、記録部５から出力された輝度制御パラメータにより示される画素値に更新し（ステップＳ１２）、上記ブルーライト制御画像情報Ｓbcとしてディスプレイ４に表示情報Ｓoutとして出力する。
【００８２】
そしてディスプレイ４は、上記色補正画像情報Ｓcl又は上記ブルーライト制御画像情報Ｓbcのいずれか一方を表示情報Ｓoutとして受信し、当該表示情報Ｓoutに相当する画像を表示する（ステップＳ１３）。その後制御部２は実施形態に係る制御処理を終了する。
【００８３】
以上それぞれ説明したように、実施形態に係る制御処理によれば、画像情報Ｓinにおけるブルーライトの輝度を年齢データＳageに基づいて低減しつつ、当該年齢データＳageに基づいて画像情報Ｓinに相当する画像を表示する。よって、当該画像を視認するユーザの年齢に応じた見易い状態で、且つ当該ユーザの眼を保護しつつ、画像を表示することができる。
【００８４】
また、実施形態に係る制御処理として、ブルーライトの制御、コントラストの補正、及び色の補正、のいずれかを画像情報Ｓinに対して実行して画像を表示するので、多面的な制御処理により、画像を視認するユーザの年齢に応じた見易い状態で、且つ当該ユーザの眼を効果的に保護しつつ、画像を表示することができる。
【００８５】
更に、年齢データＳageにより示される年齢が「子供」に相当する年齢又は「成人」に相当する年齢である場合に、ブルーライトの輝度の低減率を大きくすると共に、コントラストの補正の強度を「弱」以下とするので、子供又は成人の眼を保護すると共に、見易いコントラストの状態で画像を表示することができる。
【００８６】
更にまた、年齢データＳageにより示される年齢が「成年」に相当する年齢である場合において、ブルーライトの輝度の低減率を大きくすると共に、コントラストの補正強度を上げると共にディスプレイ４の明るさ（ブライトネス）を下げるように制御すれば、画像としての視認性を確保しつつ、眼の疲れを軽減して画像を表示することができる。
【００８７】
また、年齢データＳageにより示される年齢が「高齢者」に相当する年齢であり、且つ、そのユーザが例えば黄斑変性に罹っていることが示されている場合において、ブルーライトの輝度の低減率を小さくすると共に、コントラストの補正強度を「中」又は「強」とし、当該年齢に基づいて色を補正して画像を表示するので、高齢者において見易い状態で画像を表示することができる。
【００８８】
更に、ブルーライトの制御を年齢データＳage及び時刻データＳtに基づいて実行しつつ（図３参照）、当該年齢データＳage及び当該時刻データＳtに基づいて他の制御処理を実行する場合には、画像を視認するユーザの年齢に応じた見易い状態で、且つ当該ユーザの眼を保護し、更にその視覚を通じた体内リズム等に合致させて、画像を表示させることができる。
【００８９】
更にまた、画像を視認するユーザの活動時間（例えば昼間）におけるブルーライトの輝度が、当該活動時間以外の時間における当該輝度に対して相対的に高くなるようにして表示用画像情報を生成する（図３参照）場合には、画像を視認するユーザの活動時間とそれ以外の時間における体内リズム等に合致させて画像を表示させることができる。なおこのとき、そのユーザが例えば夜間勤務者である場合には、図３に示す変化を図３において上下逆とした変化により、実施形態に係るブルーライトの制御を実行するのが好適である。
【００９０】
また、新たな年齢データＳageが取得された場合に、当該新たな年齢データＳageに基づいてブルーライトの制御を含むいずれかの処理を改めて実行して画像を表示するように構成すれば、新たな年齢データＳageが取得できた場合にも、画像を視認するユーザの年齢に応じた見易い状態で、且つ当該ユーザの眼を保護しつつ、適切に画像を表示させることができる。この場合に例えば、新たな年齢データＳageにより、「高齢者」に相当する年齢のユーザに対する白内障の手術が終了した旨のデータが取得できた場合、白内障が治療されるとブルーライトの透過率が高くなるため、たとえ「高齢者」に相当する年齢のユーザであっても低減率を「大」又は「中」としてブルーライトの制御を実行するのが好ましい。
【００９１】
更に、実施形態のようにユーザの年齢で一括りとするのではなく、例えば図示しない入力部を用いてユーザが事後的に強度補正テーブルＴＣ、色補正テーブルＴＬ又は輝度テーブルＴＢそれぞれの内容に相当する各パラメータを入力する構成とすれば、画像を視認する当該ユーザの好み等に合わせて実施形態に係る制御処理を実行でき、当該ユーザに適合させて画像の表示態様を調整することができる。
【００９２】
なお、本発明については、上述した実施形態の他に、種々の態様が可能である。
【００９３】
例えば上述した実施形態では、画像情報Ｓinに対するコントラストの補正（コントラスト補正判定部３及びコントラスト補正画素値更新部６による）→色の補正（色補正判定部７及び色補正画素値更新部９による）→ブルーライトの制御（ブルーライト制御判定部１１及びブルーライト制御画素値更新部１２による）の順で実行することとした。しかしながらこれ以外に、コントラストの補正、色の補正及びブルーライトの制御の順序をどのように変更してもよいし、或いは、コントラストの補正、色の補正及びブルーライトの制御を画像情報Ｓinに対して同時並行的に実行し、それぞれの実行結果を最後に重畳して表示情報Ｓoutとしてディスプレイ４に出力するように構成することもできる。
【００９４】
また例えば、実施形態に係るブルーライトの制御を、日単位（図３参照）ではなく、月単位、或いは季節単位で実行するように構成することも可能である。この場合の輝度テーブルＴＢとしては、月毎、又は季節毎の輝度テーブルが記録部５に記録されて用いられることになる。
【００９５】
更に例えば、時刻データＳtを用いず、予め設定された低減率で例えば一律にブルーライトの制御を行うように構成してもよい。
【００９６】
更にまた上述した実施形態において、画像内の範囲を指定して実施形態に係る制御処理の対象とする／しないを制御するように構成することもできる。
【００９７】
また実施形態に係る制御処理は、上述したＲＧＢ色空間以外にも、例えばいわゆるＨＬＳ（Hue、Luminance、Saturation）色空間、ＨＳＶ（Hue、Saturation、Value）色空間、又は輝度（Ｙ）を含むYCbCr色空間等に対しても同様に適用可能である。
【００９８】
更に、図４に示すフローチャートに対応するプログラムを光ディスク等の記録媒体に記録しておき、或いはインターネット等のネットワークを介して取得して記録しておき、これらを例えば汎用のマイクロコンピュータ等により読み出して実行することにより、当該マイクロコンピュータ等を、実施形態に係る制御部２等として機能させることも可能である。
【産業上の利用可能性】
【００９９】
以上それぞれ説明したように、本発明は表示装置の分野に利用することが可能であり、特にユーザの指向に合わせた画像を表示しつつそのユーザの眼を保護することを目的とした表示装置の制御の分野に適用すれば特に顕著な効果が得られる。
【符号の説明】
【０１００】
１    画像生成部
２    制御部
３    コントラスト補正判定部
４    ディスプレイ
５    記録部
６    コントラスト補正画素値更新部
７    色補正判定部
８    年齢データ取得部
９    色補正画素値更新部
１０    時刻取得部
１１    ブルーライト制御判定部
１２    ブルーライト制御画素値更新部
Ｄ    表示装置
Ｓt    時刻データ
Ｓage    年齢データ
Ｓin    画像情報
ＴＣ１    第１強度補正テーブル
ＴＣ２    第２強度補正テーブル
ＴＣｎ    第ｎ強度補正テーブル
ＴＬ１    第１色補正テーブル
ＴＬ２    第２色補正テーブル
ＴＬｍ    第ｍ色補正テーブル
ＴＢ１    第１輝度テーブル
ＴＢ２    第２輝度テーブル
ＴＢｐ    第ｐ輝度テーブル
Ｓc    制御信号
Ｓcc    コントラスト補正画像情報
Ｓcl    色補正画像情報
Ｓbc    ブルーライト制御画像情報
Ｓout    表示情報
【図１】
2016040581.tif 000003
【図２】
2016040581.tif 000004
【図３】
2016040581.tif 000005
【図４】
2016040581.tif 000006